(57)【特許請求の範囲】
【請求項１】
前部と、後部と、前記前部と前記後部をつなぐ部分となる対向する側部と、首入部と、腕入部と、脚入部とを備える本体を有し、
前記本体の前記前部、前記首入部、および前記脚入部が、前記本体の第１部材を構成し、
前記後部および腕入部が、前記本体の第２部材を構成し、
前記第１部材と前記第２部材を連結する無限ループファスナをさらに有し、前記無限ループファスナが、前記首入部に隣接する前記後部と前記前部から選択される一方を横切り、前記対向する側部に隣接する前記本体の前記後部と前記前部の他方に沿って下り、前記脚入部に隣接する前記後部と前記前部から選択される一方を横切るように配置され、前記第２部材が前記第１部材から選択的に取り外せる屋外活動スーツ。
【請求項２】
前記無限ループファスナがドライジッパーである請求項１に記載の屋外活動スーツ。
【請求項３】
前記無限ループファスナが、前記無限ループファスナの選択された部分を開け易くするための複数のスライダーを備える請求項１に記載の屋外活動スーツ。
【請求項４】
前記第２部材が、上着を形成する胴部包囲フラップを含む請求項１に記載の屋外活動スーツ。
【請求項５】
前記第１部材が、前記脚入部に隣接する前記第２部材の内側にあるパネル部材を備える請求項１に記載の屋外活動スーツ。
【請求項６】
前記第２部材が、カヤック用のドライスカートおよび腰ベルトを備える請求項１に記載の屋外活動スーツ。
【請求項７】
前記脚入部が着用者のふくらはぎを覆わず、前記腕入部が着用者の前腕を覆わない請求項１に記載の屋外活動スーツ。
【請求項８】
靴下、手袋、および密閉フードの追加によって、前記本体が密閉され、前記本体が屋外活動スーツの加圧用バルブを備えている請求項１に記載の屋外活動スーツ。
【請求項９】
前記第１部材の前記脚入部が袋を形成している請求項１に記載の屋外活動スーツ。
【請求項１０】
前記無限ループファスナが、前記首入部に隣接する前記本体の前記後部を横切り、前記対向する側部のそれぞれに隣接する前記本体の前記前部に沿って下り、前記脚入部に隣接する前記後部を横切るように配置されている請求項１に記載の屋外活動スーツ。
【請求項１１】
前記無限ループファスナが、前記首入部に隣接する前記本体の前記前部を横切り、前記対向する側部のそれぞれに隣接する前記本体の前記後部に沿って下り、前記脚入部に隣接する前記前部を横切るように配置されている請求項１に記載の屋外活動スーツ。
【請求項１２】
前記無限ループファスナが、前記対向する側部の一方に沿って、前記前部を下り、前記脚入部に向かって延びており、それにより、男性の排尿に対応することができる請求項１０記載の屋外活動スーツ。
【発明の詳細な説明】
【技術分野】
【０００１】
水上スポーツ用のイマーションスーツとしてもともと設計されたスーツに関するものである。このスーツは、適切な材料で作製すれば、スノーモービルやその他の屋外活動にも適していることが明らかになった。
【背景技術】
【０００２】
屋外活動スーツ使用時の共通の問題は過熱である。国際公開第ＷＯ２０１３／０００１４１３号（Ｍｙｅｒｓｃｏｕｇｈ）には、この問題に対処するためのドライスーツで用いられている従来の手法が開示されている。
【発明の概要】
【０００３】
前部と、後部と、前部と後部をつなぐ部分となる対向する側部と、首入部と、腕入部と、脚入部とを備える本体を含む屋外活動スーツを提供する。本体の前部、首入部、および脚入部が本体の第１部材を構成している。後部および腕入部が本体の第２部材を構成している。無限ループファスナは、第１部材と第２部材を連結しており、第２部材が第１部材から選択的に取り外せる。
【０００４】
無限ループファスナの配置可能箇所は２箇所ある。第１の配置は、首入部に隣接する本体の後部を横切り、本体の前部に沿った対向する側部を下り、脚入部に隣接する後部を横切る。第２の配置は、首入部に隣接する本体の前部を横切り、本体の後部に沿った対向する側部を下り、脚入部に隣接する前部を横切る。
【０００５】
以下で説明するように、屋外活動スーツの第１実施形態では、スーツの上部および下部の両方からの着用が可能である。熱を逃がすために、第２部材を取り外し、単独で第１部材を着用してもよい。
【０００６】
以下でさらに説明するように、無限ループファスナはジッパーであることが好ましい。水上スポーツ用のイマーションスーツの本来の用途に応じたファスナの最良の形態であるため、ドライジッパーが好ましい。用途に応じて他の種類のファスナが使用できることは、理解されるであろう。使用できる他のファスナには、現在、サンドイッチ用袋に使用されているような「ジップロック」型のファスナ、商標ＶＥＬＣＲＯとして一般に知られている面ファスナ、磁石が含まれる。
【０００７】
屋外活動スーツ使用時のもうひとつの問題は、排泄のためにスーツを脱ぐ必要があることである。無限ループファスナの選択部分を容易に開けるようにするため、無限ループファスナは複数のスライダーを有することが好ましい。これにより、スーツを着用したままで排泄を容易にするよう、底部に入口を開けることが可能となり、男性の排尿を容易にする開口部を形成することが可能になる。
【０００８】
屋外活動スーツの第２の実施形態では、第２部材が、上着を形成する胴部包囲フラップを含んでいる。これにより、第２部材が上着として単独で着用できる。
【０００９】
特定の用途に応じた屋外活動スーツに適用できる変形例および変更例について以下で説明する。
【図面の簡単な説明】
【００１０】
添付図面を参照する以下の説明から、これらおよび他の特徴がより明らかになるであろう。図面は、説明を目的とするためだけのものであり、図面によって決して限定されない。
【００１１】
図１は、屋外活動スーツの第１実施形態の正面図である。
【００１２】
図２は、図１に示す屋外活動スーツの第１実施形態の背面図である。
【００１３】
図３は、図１に示す屋外活動スーツの第１実施形態の正面図の分解図で、第１部材から第２部材が分離されたときの図である。
【００１４】
図４は、図１に示す屋外活動スーツの第１実施形態の第１部材の正面図で、適切な位置で首入部とサスペンダを用いたときの図である。
【００１５】
図５は、図４に示す屋外活動スーツの第１実施形態の側面図で、ヒップウェーダーとして使用できるパネル部材が追加されているときの図である。
【００１６】
図６は、図４に示す屋外活動スーツの第１実施形態の正面図で、首入部を下に折り込んだときの図である。
【００１７】
図７は、図１に示す屋外活動スーツの第１実施形態の正面図で、首入部を下に折り込んだときの図である。
【００１８】
図８は、図１に示す屋外活動スーツの第１実施形態の側面図で、上部から着用しているときの図である。
【００１９】
図９は、図１に示す屋外活動スーツの第１実施形態の側面図で、下部から着用しているときの図である。
【００２０】
図１０は、図１に示す屋外活動スーツの第１実施形態の側面図で、排泄用に準備しているときの図である。
【００２１】
図１１は、屋外活動スーツの第２実施形態の正面図である。 
【００２２】
図１２は、図１１に示す屋外活動スーツの第２実施形態の背面図である。
【００２３】
図１３は、図１１に示す屋外活動スーツの第２実施形態の正面図で、胴部包囲フラップの細部が見えるように上着のジッパーを開いたときの図である。
【００２４】
図１４は、図１３に示す屋外活動スーツの第２実施形態の正面図で、首入部を下に折り込んだときの図である。
【００２５】
図１５は、図１３に示す屋外活動スーツの第２実施形態の正面図で、男性の排尿口を設けるために、無限ループファスナが、対向する側部の一方に沿って、前部から脚入部に向かって下方に延びている状態を示す図である。
【００２６】
図１６は、図１１に示す屋外活動スーツの第２実施形態の第２部材の正面図で、第２部材は、上着として使用するために、第１部材から分離された図である。
【００２７】
図１７は、屋外活動スーツの第２部材の変形例の正面図で、この変形例は、カヤック用のドライスカートおよび腰ベルトを追加している。
【００２８】
図１８は、屋外活動スーツの変形例の正面図で、この変形例は、短い脚入部と短い腕入部とを備えている。
【００２９】
図１９は、屋外活動スーツの変形例の正面図で、この変形例は、危険物取扱スーツとして使用するために、靴下、手袋、密閉フード、および加圧用バルブを追加している。
【００３０】
図２０は、屋外活動スーツの変形例の正面図で、この変形例は、本体の第１部材の脚入部が寝袋を形成するようになっている。
【００３１】
図２１は、無限ループファスナの前後の位置を反対にした屋外活動スーツの変形例の正面図である。
【発明を実施するための形態】
【００３２】
図１から図１０を参照しながら、符号１０で特定される屋外活動スーツの第１実施形態を説明する。図１１から図１６を参照しながら、符号１００で特定される屋外活動スーツの第２実施形態を説明する。
【００３３】
第１実施形態に係る屋外活動スーツ１０の部材の構成と関連：
【００３４】
図１および図２に示すように、屋外活動スーツ１０は本体１２を含む。以下の説明に対応するように、本体１２は、前部１４と、後部１６と、前部１４と後部１６をつなぐ部分となる対向する側部１８，２０を備えている。首入部２２と、腕入部２４と、脚入部２６が設けられている。図３に示すように、本体１２の前部１４、首入部２２、および脚入部２６が合わさって、本体１２の第１部材２８を形成している。図３に示すように、本体１２の後部１６および腕入部２４が合わさって、本体１２の第２部材３０を形成している。
【００３５】
図１から図３に示すように、無限ループファスナ３２は、第１部材２８と第２部材３０を接続する。図２に示すように、無限ループファスナ３２は、首入部２２に隣接する本体１２の後部１６を横切るように配置される。図１に示すように、無限ループファスナ３２は、前部１４に沿った本体１２の対向する側部１８,２０の下方に延びている。図２に示すように、無限ループファスナ３２は、脚入部２６に隣接する後部１６を横切るように延びている。図３に示すように、無限ループファスナ３２は、２つの係合部３２Ａ，３２Ｂを備え、係合部３２Ａ，３２Ｂを分離することで、第２部材３０を第１部材２８から選択的に取り外せる。
【００３６】
用途に応じて、様々な無限ループファスナ３２が使用できる。水上スポーツ動作用のイマーションスーツとして使用する場合、好ましい無限ループファスナはドライジッパーである。無限ループジッパーは、動作に関して以下でさらに説明するように、無限ループジッパーの選択された部分を容易に開けるために、複数のスライダー３４を有することが好ましいが、単一のスライダーでも十分である。
変形例：
【００３７】
図１１から図１６には、屋外活動スーツ１００が示されている。屋外活動スーツ１００は、屋外活動スーツ１０と同じ構造および同じ構成部材を備えている。このため、屋外活動スーツ１０の構成部材を示すために使用される同じ符号が、屋外活動スーツ１００の同じ構成部材に使用される。したがって、この変形例の説明の焦点は、屋外活動スーツ１０に含まれておらず、屋外活動スーツ１００が備えている特徴にある。
【００３８】
図１３に示すように、屋外活動スーツ１００では、第２部材３０が胴部包囲フラップ１０２，１０４を含む。図１１に示すように、胴部包囲フラップ１０２，１０４が従来のジッパー１０６と共に固定されると、上着１０８を形成する。図１６に示すように、第２部材３０が第１部材２８から分離されると、第２部材３０は上着として独立して機能する。
【００３９】
図１５には、屋外活動スーツ１０又は屋外活動スーツ１００に付加できる追加の特徴が示されている。屋外活動スーツ１００自体が屋外活動スーツ１００の変形例であるため、屋外活動スーツ１００と図示されている。図に示すように、無限ループファスナ３２（ジッパー）は、本体１２の前部１４を下って延びる部分１１０を備え、対向する側部の一方（側部２０が図示されている）に沿って脚入部２６に達する。無限ループファスナ３２（ジッパー）上に複数のスライダー３４を使用することにより、男性の排尿に対応できる。
【００４０】
図５には、屋外活動スーツ１０をヒップウェーダーとして使用するために、屋外活動スーツ１０に追加される特徴が示されている。第１部材２８は、脚入部２６に隣接する第２部材３０の内側にパネル部材１１２を備えている。第２部材３０を取り外した場合でも、パネル部材１１２があることで、スーツ着用者が水中を歩く際、屋外活動スーツ１０内に水が入るまでの水中の深さがより深くなる。
【００４１】
水上スポーツ用のイマーションスーツとしての用途の場合、屋外活動スーツ１０又は屋外活動スーツ１００は、首密閉部１１４、手首密閉部１１６、および足首密閉部１１８として図示される首部、手首部、および足首部を密閉するドライスーツで作製可能である。さらに、水上スポーツ用のイマーションスーツとしての用途の場合、屋外活動スーツ１０又は屋外活動スーツ１００は、防水性の柔らかい靴下１２０で作製可能である。
第１実施形態に係る屋外活動スーツ１０及び第２実施形態に係る屋外活動スーツ１００の取り扱い:
【００４２】
上述のように、屋外活動スーツ１０，１００は、きわめて用途が広い。図３に示すように、屋外活動スーツ１０または屋外活動スーツ１００の着用者は、熱を逃がすために第２部材を図３に示すように分離でき、図４および図５に示すように第１部材のみを着用できる。図８には、複数のスライダー３４を使用し、スーツの上部から着用するための首入部２２近傍の無限ループファスナ３２を開けて、屋外活動スーツ１０をどのように着用できるかが示されている。図９には、複数のスライダー３４を使用し、スーツの下部から着用するための脚受部２６近傍の無限ループファスナ３２を開けて、屋外活動スーツ１０をどのように着用できるかが示されている。図１０には、排泄のために、屋外活動スーツ１０の着用者が、複数のスライダー３４と脚入部２６近傍の無限ループファスナ３２をどのように使用できるかが示されている。図１５には、対向する側部の一方（側部２０が図示されている）に沿って本体１２が脚入部２６に達する場合、前部１４の下方に伸びている部分１１２と共に無限ループファスナ３２（ジッパー）がどのように設けられているかが示されており、無限ループファスナ３２（ジッパー）上の複数のスライダー３４を使って、男性の排尿に対応することができる。図６に示しているのは、屋外活動スーツ１０の着用者が、放熱するため、図３に示されているように、第２部材を分離し、首入部２２を下に折り込んで第１部材２８のみを着用しているところである。この形態では、サスペンダ１２２を使用することが好ましい。屋外活動スーツ１０に関しては図７に、屋外活動スーツ１００に関しては図１４に示すように、どちらかの屋外活動スーツの着用者は、第１部材２８と第２部材３０を分離することなく、複数のスライダー３４を使用して首入部２２を開けて下に折り込むことができる。この形態は、特に、ネックシールを使用する水上スポーツ用途に対応する。図１６では、従来のジッパー１０６付きの胴部包囲フラップ１０２，１０４を追加することで、第２部材３０が第１部材２８から分離されたときに、どのように独立した上着１０８として機能可能にするかを示している。
さらなる変形例：
【００４３】
図１７には、ドライスカート１２４および腰ベルト１２６の追加によって、カヤック用に変更された第２部材３０が示されている。
【００４４】
図１８には、脚入部１３０と腕入部１２８を短くした屋外活動スーツの変形例が示されている。「短い」は相対的な用語なので、短くした脚入部１３０は着用者のふくらはぎを覆わず、短くした腕入部１２８は着用者の前腕を覆わないことが想定される。
【００４５】
図１９には、靴下１２０、手袋１３４、密閉フード１３２、およびバルブ１３６を追加することによって、危険物取扱スーツとして使用するために変更された屋外活動スーツの変形例が示されている。汚染物質の侵入に対する加圧バリアとして働く正圧を維持するように、バルブ１３６は、屋外活動スーツを加圧するために用いられる。
【００４６】
図２０には、第１部材２８の脚入部２６が袋１３８を形成するように変更された屋外活動スーツの変形例が示されている。この変更例は、夜間に取り付けて、寝袋として使用されることが想定される。
【００４７】
図２１には、第１部材２８と第２部材３０を接続する無限ループファスナ３２の配置が、後ろと前で逆になっている屋外活動スーツの変形例が示されている。無限ループファスナは、首入部２２に隣接する本体１２の前部１４を横切って配置される。無限ループファスナ３２は、後部１６に沿って、本体１２の対向する側部１８，２０の下方に延びている。無限ループファスナ３２は、最終的に、脚入部２６に隣接する前部１４を横切るように延びている。
【００４８】
屋外活動スーツ１０および屋外活動スーツ１００は、用途に応じて、異なる材料から作製されてもよいことは明らかであろう。作製する材料は、通気性のものであっても、非通気性のものであってもよく、伸縮性があるものであっても、非伸縮性のものであってもよい。また、防水性のものであっても、非防水性のものであってもよく、織布であっても、不織布であってもよい。また、第１部材２８および第２部材３０は、同じ材料から作製される必要がないことも明らかであろう。また、屋外活動スーツ１０および屋外活動スーツ１００は、ぴったりしていても、ゆったりしてもよいことも明らかであろう。この点においては、第１部材２８または第２部材３０の一方がぴったりしていて、他方となる第１部材２８または第２部材３０がゆったりしていてもよい
【００４９】
本特許書面では、「有する」および「備える」の語は、この語に続く事項が含まれ、具体的に言及されていない事項が除外されないことを意味する非限定的な趣旨で使用される。不定冠詞「ａ」が適用される構成要素は、文脈上、１つの構成要素であること、または構成要素のうちの１つのみであることを明示しない限り、複数の構成要素が存在する可能性を排除しない。
【００５０】
特許請求の範囲は、例として図示された実施形態によって限定されるべきではなく、明細書全体を考慮した特許請求の範囲の目的にかなう構成と一致する最も広い解釈が与えられるべきである。
【図１】
0006637509.tif 000002
【図２】
0006637509.tif 000003
【図３】
0006637509.tif 000004
【図４】
0006637509.tif 000005
【図５】
0006637509.tif 000006
【図６】
0006637509.tif 000007
【図７】
0006637509.tif 000008
【図８】
0006637509.tif 000009
【図９】
0006637509.tif 000010
【図１０】
0006637509.tif 000011
【図１１】
0006637509.tif 000012
【図１２】
0006637509.tif 000013
【図１３】
0006637509.tif 000014
【図１４】
0006637509.tif 000015
【図１５】
0006637509.tif 000016
【図１６】
0006637509.tif 000017
【図１７】
0006637509.tif 000018
【図１８】
0006637509.tif 000019
【図１９】
0006637509.tif 000020
【図２０】
0006637509.tif 000021
【図２１】
0006637509.tif 000022